(57)【要約】【課題】被取付部材の孔の直径を変えることなく、照明器具の外径をより長くすることができる照明器具及び照明装置を提供する。【解決手段】照明器具２は、配置部と、取付部３と、を備える。配置部には光源が配置される。取付部３は被取付部材１０に取り付けられる。取付部３は円筒状である。取付部３は外周面３６にねじ溝３７１を有している。取付部３が周方向に回転することで、ねじ溝３７１が被取付部材１０の孔１００の内周面１０１に噛み合い、取付部３は孔１００にはめ込まれる。【選択図】図１
2018041694.tif 000002
【特許請求の範囲】
【請求項１】
光源が配置される配置部と、
被取付部材に取り付けられる円筒状の取付部と、を備え、
前記取付部は外周面にねじ溝を有しており、
前記取付部が周方向に回転することで、前記ねじ溝が前記被取付部材の孔の内周面に噛み合い、前記取付部は前記孔にはめ込まれることを特徴とする照明器具。
【請求項２】
前記取付部は、
前記配置部とは別個の部材であり、
前記配置部に対して、前記取付部の前記周方向に回転可能であることを特徴とする請求項１記載の照明器具。
【請求項３】
前記取付部は、前記取付部の軸方向において、前記光源からの光を外部に放射する光放射面側に、前記取付部を前記周方向に回転させるための操作が行われる操作部を有することを特徴とする請求項１又は２に記載の照明器具。
【請求項４】
請求項１〜３のいずれか一項に記載の照明器具と、
前記光源と、を備える照明装置。
【発明の詳細な説明】
【技術分野】
【０００１】
本発明は照明器具及び照明装置に関し、より詳細には、被取付部材に取り付けられる照明器具及びこの照明器具を備える照明装置に関する。
【背景技術】
【０００２】
従来例として特許文献１記載の照明器具を例示する。特許文献１記載の照明器具は、光源部（光源）と、灯具本体と、灯具本体の外周に設けられている取付バネと、灯具本体の下部周縁から外側へ突出したフランジ部とを有する。照明器具を天井材等の取付壁部（被取付部材）に取り付ける作業において、作業者は、取付バネを手で押さえて弾性変形させた状態で、取付壁部に設けられた取付穴（被取付部材の孔）に照明器具を挿入する。その後、取付バネが上から取付壁部を押さえ、フランジ部が下から取付壁部を押さえることによって、照明器具が取付壁部に固定される。
【先行技術文献】
【特許文献】
【０００３】
【特許文献１】特開２０１５−１４９１９９号公報
【発明の概要】
【発明が解決しようとする課題】
【０００４】
しかしながら、特許文献１記載の照明器具は、照明器具を取付壁部に取り付ける際、取付バネを灯具本体とともに取付穴に入れる必要があった。したがって、取付穴の大きさが決まっている場合、灯具本体の外径を長くすることが、取付バネにより制限されていた。すなわち、取付バネ付近における照明器具の外径を長くすることが、取付バネにより制限されていた。
【０００５】
本発明は、被取付部材の孔の直径を変えることなく、照明器具の外径をより長くすることができる照明器具及び照明装置を提供することを目的とする。
【課題を解決するための手段】
【０００６】
上記の課題を解決するために、本発明の一態様に係る照明器具は、配置部と、取付部と、を備える。前記配置部には光源が配置される。前記取付部は被取付部材に取り付けられる。前記取付部は円筒状である。前記取付部は外周面にねじ溝を有している。前記取付部が周方向に回転することで、前記ねじ溝が前記被取付部材の孔の内周面に噛み合い、前記取付部は前記孔にはめ込まれる。
【０００７】
本発明の一態様に係る照明装置は、前記照明器具と、前記光源と、を備える。
【発明の効果】
【０００８】
本発明の一態様に係る照明器具及び照明装置では、被取付部材の孔の直径を変えることなく、照明器具の外径をより長くすることができる。
【図面の簡単な説明】
【０００９】
【図１】図１は、本発明の実施形態１に係る照明装置の斜視図である。
【図２】図２は、同上の照明装置の要部の断面図である。
【発明を実施するための形態】
【００１０】
（実施形態１）
以下、本発明の実施形態１に係る照明器具及び照明装置について、図面を用いて説明する。以下、特に断りのない限り、図２においてヒートシンク８が位置している側を照明装置１の上として、取付部３が位置している側を照明装置１の下とする。
【００１１】
本実施形態の照明装置１は、図１、図２に示すように、光源２０と、照明器具２と、を備えている。照明器具２は、取付部３と、本体部４と、環状プレート５と、反射板６と、を備えている。
【００１２】
本体部４は、図２に示すように、器体７と、ヒートシンク８と、配置部９と、を備えている。
【００１３】
器体７は、円筒部７０と、円環状の第一フランジ部７１と、円環状の第二フランジ部７２と、を有している。これらは一体に形成されている。第一フランジ部７１は、円筒部７０の先端から、円筒部７０の径方向において外向きに突出している。第二フランジ部７２は、第一フランジ部７１が位置している側とは反対側の円筒部７０の先端から、円筒部７０の径方向において外向きに突出している。第一フランジ部７１は、第二フランジ部７２よりも上側に位置している。
【００１４】
ヒートシンク８は、アルミニウム等の熱伝導性が高い材料により形成されている。ヒートシンク８は、図１に示すように、有底円筒状のヒートシンク本体８０と、複数のフィン８１とを有している。これらは一体に形成されている。各フィン８１は板状であり、ヒートシンク本体８０から、上向き及びヒートシンク本体８０の径方向の外向きに突出している。複数のフィン８１は、ヒートシンク本体８０において、上下方向から見て略等間隔に配置されている。図２に示すように、ヒートシンク８は、器体７の第一フランジ部７１の上方に位置しており、第一フランジ部７１に固定されている。ヒートシンク本体８０及び器体７は、内部に空間を有しており、当該空間に光源２０及び配置部９が収容されている。
【００１５】
光源２０は、基板２１と、基板２１に実装されている図示しないＬＥＤ（Light Emitting  Diode）素子とを含む。光源２０は、図示しない電線を介して、図示しない電源から電力の供給を受けて光を放射する。光源２０で発生した熱は、ヒートシンク８により空気中に放熱される。なお、光源２０において基板２１には、ＬＥＤ素子に代えて半導体レーザや、有機ＥＬ（Electroluminescence）や無機ＥＬ等の発光素子が実装されていてもよい。
【００１６】
配置部９は円筒状に形成されている。配置部９はヒートシンク８に固定されている。配置部９の上端には光源２０が取り付けられている。すなわち、光源２０は配置部９に配置されている。配置部９の内面９０は白色系の樹脂材料等により塗装されている。内面９０は、光源２０から放射された光を反射して下向きに配光する。また、配置部９の下端にはレンズ９１が取り付けられている。レンズ９１は、光源２０から放射された光を配光する。なお、内面９０は金属材料による鏡面であってもよい。
【００１７】
環状プレート５は円環状に形成されている。環状プレート５の外径は、器体７の第二フランジ部７２の外径よりも長い。環状プレート５は、第二フランジ部７２に固定されることなく、第二フランジ部７２の上に載っている。
【００１８】
取付部３は、円筒状の取付部本体３０と、受皿３１と、保持部３２と、を有している。これらは一体に形成されている。取付部３は全体として円筒状である。取付部３は配置部９とは別個の部材である。取付部３は上端に開口３３を、下端に開口３４を有している。
【００１９】
取付部本体３０の内周面３５は放物面状に形成されており、下に行くほど直径が長い。取付部本体３０は環状プレート５の下方に位置しており、２つのねじ５０を用いて環状プレート５に固定されている。
【００２０】
受皿３１は円環状である。受皿３１は、取付部本体３０の下端から、取付部本体３０の径方向において外向きに突出している。受皿３１は、上面３１１に窪み部３１２を有している。受皿３１は、窪み部３１２において下向きに窪んでいる。窪み部３１２は円環状であり、取付部本体３０に隣接している。
【００２１】
図１に示すように、取付部３は、下面３８に操作部３９を有している。すなわち取付部３は、取付部３の軸方向３００（上下方向）において、光源２０（図２参照）からの光を外部に放射する光放射面（開口３４）側（下側）に操作部３９を有している。操作部３９は窪みである。つまり、取付部３は、操作部３９において上向きに窪んでいる。さらに、図２に示すように、取付部３は、下面３８に円環状の窪み部３８０を有している。取付部３は、窪み部３８０において上向きに窪んでいる。また、窪み部３８０は取付部３の下端の開口３４に繋がっている。
【００２２】
保持部３２は円環状である。保持部３２は、取付部本体３０の上端付近から、取付部本体３０の径方向における内向きに突出している。
【００２３】
取付部３は外周面３６にねじ山３７０及びねじ溝３７１を有している。ねじ山３７０は、取付部本体３０の外周面３６において外向きに突出している。すなわち、取付部３は外周面３６が雄ねじ状に形成されている。図１に示すように、ねじ山３７０及びねじ溝３７１は外周面３６においてらせん状に形成されている。図２に示すように、ねじ山３７０及びねじ溝３７１は、外周面３６の略全域に形成されている。ねじ山３７０及びねじ溝３７１は、照明器具２の外部に対して露出している。
【００２４】
取付部３は配置部９に対して固定されていない。上述の通り、取付部３は環状プレート５に固定されており、環状プレート５は器体７の第二フランジ部７２に固定されることなく、第二フランジ部７２の上に載っている。器体７及び配置部９はヒートシンク８に固定されている。したがって、環状プレート５が、器体７の円筒部７０の周りで、環状プレート５の周方向（取付部３の周方向）に回転することによって、取付部３は、配置部９に対して、取付部３の周方向に回転する。
【００２５】
反射板６は、曲部６０と、円環状の第一引掛板６１と、円環状の第二引掛板６２と、を有している。反射板６は上端に開口６３を、下端に開口６４を有している。曲部６０は下に行くほど直径が長い円筒状である。より詳細には、曲部６０は放物面状に曲がっている。曲部６０の内周面６５は、白色系の樹脂材料等により塗装されている。第一引掛板６１は、曲部６０の上端６０１から上向きに突出している。さらに第一引掛板６１は、上向きの突出先端６０２から、曲部６０の径方向の外向きに突出している。第二引掛板６２は、曲部６０の下端６０３から曲部６０の径方向の外向きに突出している。なお、内周面６５は金属材料による鏡面であってもよい。
【００２６】
反射板６は、取付部３との間に隙間がほぼ生じないように、取付部３の内側に収容され、取付部３に固定されている。第一引掛板６１は、曲部６０とともに保持部３２を挟んでいる。また、第二引掛板６２は、取付部３の下面３８の窪み部３８０に引っ掛かっている。
【００２７】
光源２０から放射されてレンズ９１を通った光は、反射板６の内部の空間に到達する。光の一部は内周面６５に反射して下向きに配光される。その後、光は下側の開口６４（開口３４）を通って照明器具２の外部へ取り出される。
【００２８】
照明器具２は、図１に示す被取付部材１０に取り付けられる。被取付部材１０は、例えば天井パネルである。被取付部材１０には、孔１００が設けられている。孔１００は円形に形成されている。孔１００の直径は、取付部３の外径と略等しい。
【００２９】
被取付部材１０は内周面１０１を含む。内周面１０１は、被取付部材１０において孔１００の縁に相当する部分である。内周面１０１には、取付部３のねじ山３７０と噛み合うねじ溝１０２が形成されている。また、内周面１０１には、取付部３のねじ溝３７１と噛み合うねじ山１０３が形成されている。ねじ溝１０２及びねじ山１０３はらせん状に形成されている。被取付部材１０は、内周面１０１にねじ溝１０２及びねじ山１０３が設けられていることによって、雌ねじとして取付部３を接続することができる。すなわち、取付部３の外周面３６の上端付近のねじ溝３７１が、内周面１０１の下端付近のねじ山１０３に噛み合わせられる。また、取付部３の外周面３６の上端付近のねじ山３７０が、内周面１０１の下端付近のねじ溝１０２に噛み合わせられる。続いて、取付部３が周方向に回転させられながら孔１００に入れられ、図２に示すように、取付部３のねじ溝３７１が、内周面１０１のねじ山１０３に噛み合わせられる。また、取付部３のねじ山３７０が、内周面１０１のねじ溝１０２に噛み合わせられる。これにより、取付部３は孔１００（図１参照）にはめ込まれ、被取付部材１０に取り付けられる。以上により、照明器具２は被取付部材１０に固定される。
【００３０】
また、取付部３を周方向に回転させる操作を行う際には、操作部３９を用いることができる。つまり、作業者は、指や工具などを操作部３９に引っ掛けて操作部３９に作用を加えることにより、取付部３を周方向に回転させることができる。
【００３１】
上記の通り、本実施形態に係る照明器具２は、配置部９と、取付部３と、を備える。配置部９には光源２０が配置される。取付部３は被取付部材１０に取り付けられる。取付部３は円筒状である。取付部３は外周面３６にねじ溝３７１を有している。取付部３が周方向に回転することで、ねじ溝３７１が被取付部材１０の孔１００の内周面１０１に噛み合い、取付部３は孔１００にはめ込まれる。
【００３２】
上記の構成の照明器具２において、取付部３は被取付部材１０の孔１００にはめ込まれるので、取付部３の外径は、孔１００の直径に略等しくすることができる。したがって、孔１００の直径を変えることなく、取付部３の外径をより長くすることができる。すなわち、照明器具２の外径をより長くすることができる。したがって、取付部３の内径もより長くすることができる。これにより、例えば、本実施形態のように光源２０からの光が取付部３の内部を通過して照明器具２の外部へ取り出される場合には、光源２０からの光の取り出し効率が向上する。
【００３３】
また、本実施形態に係る照明器具２において、取付部３は、配置部９とは別個の部材である。取付部３は、配置部９に対して、取付部３の周方向に回転可能である。
【００３４】
上記の構成により、照明器具２では、取付部３を回転させて取付部３を被取付部材１０に固定する際に、配置部９の回転が抑制される。そのため、配置部９に接続している部材や、配置部９に配置されている光源２０に接続されている電線等が、配置部９の回転によってねじれるおそれが少なくなる。
【００３５】
また、本実施形態に係る照明器具２において、取付部３は操作部３９を有する。操作部３９は、取付部３の軸方向３００において、光源２０からの光を外部に放射する光放射面（開口３４）側に位置する。操作部３９には、取付部３を周方向に回転させるための操作が行われる。
【００３６】
上記の構成により、照明器具２では、操作部３９を用いて取付部３を回転させることができるので、照明器具２を被取付部材１０に容易に固定することができる。
【００３７】
また、本実施形態に係る照明装置１は、照明器具２と、光源２０と、を備える。
【００３８】
上記の構成により、照明装置１では、被取付部材１０の孔１００の直径を変えることなく、照明器具２の外径をより長くすることができる。
【００３９】
（実施形態２）
次に、本発明の実施形態２に係る照明器具について説明する。なお、実施形態１の照明器具２と同様の構成要素については、同一の符号を付して説明を省略する。
【００４０】
本実施形態では、被取付部材１０の内周面１０１にねじ溝１０２及びねじ山１０３が形成されていない。そこで、照明器具２が被取付部材１０に取り付けられる際には、まず、取付部３の外周面３６の上端付近が孔１００に挿入される。続いて、取付部３が回転させられながら孔１００に入れられ、取付部３のねじ山３７０を用いて内周面１０１にねじ溝が彫られ、取付部３は孔１００にねじ込まれる。これにより、ねじ溝３７１が孔１００の内周面１０１に噛み合い、取付部３は孔１００にはめ込まれるので、照明器具２が被取付部材１０に固定される。
【００４１】
ねじ山３７０が内周面１０１にねじ溝を彫ることで生じる切り屑は、ねじ溝３７１に溜まる。また、受皿３１の上面３１１の窪み部３１２にも切り屑が溜まる。これにより、切り屑が照明器具２の下方の床などに落下することが抑制される。
【００４２】
なお、本実施形態では、ねじ山３７０のピッチＰ１（図２参照）は長いことが好ましい。これにより、切り屑をねじ溝３７１で受け易くなる。
【００４３】
（変形例）
上記の各実施形態において、取付部３は、配置部９と一体に形成されていてもよい。また、取付部３は、配置部９に対して動かないよう固定されていてもよい。また、取付部３は、操作部３９を有していなくてもよい。これらの場合であっても、被取付部材１０の孔１００の直径を変えることなく、照明器具２の外径をより長くすることができる。
【００４４】
また、取付部３は反射板６と一体に設けられていてもよい。これにより、取付けに必要な部品点数を削減することができる。さらに、取付部３と反射板６とを合わせた厚みを小さくすることができるので、照明器具２の外径を変えることなく、光源２０から放射された光が取り出される開口６４の直径をより長くすることができる。
【００４５】
また、取付部３において操作部３９は、周囲に対して窪んだ形状に限定されず、指や工具などを引っ掛けたり、指や工具により掴んだりできる形状であればよい。操作部３９は、例えば貫通孔であってもよいし、周囲に対して突出した形状であってもよい。
【００４６】
なお、以上説明した実施形態は本発明の一例である。このため、本発明はこれらの実施形態に限定されず、本発明の趣旨を逸脱しない範囲において種々の変形が可能である。
【符号の説明】
【００４７】
１  照明装置
２  照明器具
２０  光源
３  取付部
３４  開口（光放射面）
３６  外周面
３９  操作部
３００  軸方向
３７１  ねじ溝
９  配置部  
１０  被取付部材
１００  孔
１０１  内周面
【図１】
2018041694.tif 000003
【図２】
2018041694.tif 000004